(57)【要約】【課題】  スイッチを操作するときの操作力及び変位量を所望する値に自由に設定でき、且つ、操作時及び復元時の音を殆んど発生しないモーメンタリースイッチを実現する。【解決手段】  基板１に検知スイッチ３が搭載され、さらに基板１の上方には上部２ヵ所にベース４とゴム系部材からなるトップ５で同じくゴム系部材からなるクリックゴム６を挟んだ構成の変位部７ａ、７ｂが設けられたハウジング８が配置されている。そして、略コ字形状に形成された合成樹脂部材からなるスイッチノブ９がハウジング８の上方からハウジング８を覆うように配置されて両側面から突出して回動軸１０が設けられ、両側面の端部には開口部１１が形成されて前記開口部１１に検知スイッチ３のレバー２が挿入されている。さらに、スイッチノブ９の上部内面には２ヵ所の突出部１３ａ、１３ｂが設けられ、ハウジング８に設けられた２ヵ所のクリックゴム６上のトップ５と対向している。【選択図】  図１−ｂ
2005251625.tif 000002
【特許請求の範囲】
【請求項１】
所定間隔をもって配置される複数の弾性変位部と、検知スイッチと、前記検知スイッチを作動させる作動部及び回動軸を有する操作部と、前記回動軸を回動自在に支持する支持体とを備えたスイッチ機構であって、前記操作部に前記回動軸を支点にして所望する方向に回動操作力を加えることによって該操作部が前記弾性変位部を押縮して該操作部を回動させ、前記操作部に設けられた作動部が前記回動軸を支点として回動することによって前記検知スイッチを作動させることを特徴とするスイッチ機構。
【請求項２】
請求項１に記載のスイッチ機構は、前記操作部に加えられた回動操作力を取り除くことによって初期状態に戻るモーメンタリー方式であることを特徴とするスイッチ機構。
【請求項３】
前記弾性変位部の一部もしくは全部がゴム部材からなることを特徴とする請求項１または２の何れか１項に記載のスイッチ機構。
【請求項４】
前記検知スイッチは作動用レバーを有し、且つ前記操作部に設けられた作動部は開口部からなり、該開口部内に前記検知スイッチの作動用レバーが位置することを特徴とする請求項１から３の何れか１項に記載のスイッチ機構。
【発明の詳細な説明】
【技術分野】
【０００１】
本発明は、スイッチ機構に関するものであり、詳しくは車載用機器及び民生用機器に使用するスイッチのスイッチ機構に関する。
【背景技術】
【０００２】
従来のスイッチの機構および動作を「図４−ａ」〜「図４−ｃ」で示す。まず、基本的な機構および動作は「図４−ａ」に示すように、スイッチ５０はステム３１ａ、３１ｂの上下方向の変位によってＯＦＦ及びＯＮする２つのタクトスイッチ３２ａ、３２ｂが基板３３に搭載され、回動軸３４を有するスイッチノブ３５の回動軸３４を支点とする回動を可動ピン３６ａ、３６ｂを介して直線運動に変換し、可動ピン３６ａ、３６ｂの直線運動によってタクトスイッチ３２ａ、３２ｂのステム３１ａ、３１ｂに荷重を加え、ステム３１ａ、３１ｂに変位を与えてタクトスイッチ３２ａ、３２ｂを作動（ＯＮ）させるものである。
【０００３】
これを更に詳細に説明すると、基板３３に２つのタクトスイッチ３２ａ、３２ｂが搭載され、２本の可動ピン３６ａ、３６ｂがタクトスイッチ３２ａ、３２ｂの上方に配置された２つの貫通孔３７を有するハウジング３８の各貫通孔３７をガイドにして並設され、各可動ピン３６ａ、３６ｂの一方の端部３９ａ、３９ｂはタクトスイッチ３２ａ、３２ｂの上部のステム３１ａ、３１ｂに接触している。
【０００４】
また、各可動ピン３６ａ、３６ｂの他方の端部４０ａ、４０ｂは、２本の可動ピン３６ａ、３６ｂの間に配置された回動軸３４を有するスイッチノブ３５に形成された２つ突出部４１ａ、４１ｂと接触している。そして全体が基板３３と開口部４３を有するパネル４２とによって囲まれ、スイッチノブ３５は突出部４１ａ、４１ｂの反対方向からパネル４２の開口部４３によって部分的に露出している。
【０００５】
このような状態はスイッチ５０においては初期状態を示し、両タクトスイッチ３２ａ、３２ｂには可動ピン３６ａ、３６ｂによる荷重が加わっていないために両タクトスイッチ３２ａ、３２ｂ共にＯＦＦの状態にある。
【０００６】
そこで、「図４−ｂ」に示すようにタクトスイッチ３２ａが作動する圧力以上の荷重がタクトスイッチ３２ａに加わるようにスイッチノブ３５を矢印の方向に回動して保持すると、スイッチノブ３５の回動方向の突出部４１ａによって回動方向の可動ピン３６ａに荷重が加わり、タクトスイッチ３２ａのステム３１ａを押し下げてタクトスイッチ３２ａをＯＮの状態にする。一方、回動方向の反対方向にある可動ピン３６ｂは可動ピン３６ｂの端部４０ｂからスイッチノブ３５の突出部４１ｂが離隔して隙間が生じてフリーの状態となり、タクトスイッチ３２ｂはＯＦＦの状態を保つことになる。
【０００７】
次に、「図４−ｃ」に示すように、スイッチノブ３５を回動保持するために加えていた力を取り去ると、タクトスイッチ３２ａに加えられていた荷重が消滅し、復元力で可動ピン３６ａが上方に押し上げられてスイッチノブ３５が矢印方向に回動されて初期状態に戻り、両タクトスイッチ３２ａ、３２ｂ共に初期状態のＯＦＦに戻る。
【０００８】
尚、スイッチノブを上述した方向と反対方向に回動すると、回動保持の間は２つのタクトスイッチの状態は上述とはＯＮ・ＯＦＦが反対になり、回動保持を解除すると初期状態に戻る。このように、スイッチノブを作動させている間のみ所定のＯＮまたはＯＦＦ状態を維持し、作動を解除すると初期状態に戻る方式のスイッチはモーメンタリースイッチと呼ばれている。
【特許文献１】特開２００２−２０８３２９号公報
【発明の開示】
【発明が解決しようとする課題】
【０００９】
しかしながら、上述した従来のモーメンタリースイッチは、スイッチノブを回動する作動力及び変位量（ストローク）はタクトスイッチの作動力及び変位量（ストローク）に因るところが大きく、既存のタクトスイッチを使用するにあたっては自由度が大いに制限されることになる。
【００１０】
また、スイッチノブの回動保持の間は、回動方向の反対方向にある可動ピンがフリーの状態になるために、何らかの外部応力や振動によって振動音などの雑音が発生する可能性がある。
【００１１】
さらに、スイッチノブの回動保持を解除したときに、タクトスイッチの復元力によってスイッチノブが反対方向に回動し、スイッチノブの突出部を介して瞬間的にフリーの可動ピンに荷重が加わる。そのときスイッチノブ、可動ピン及びタクトスイッチのステムが合成樹脂部材で形成されていると、スイッチノブの突出部と可動ピンの端部との間及び可動ピンの端部とタクトスイッチのステムとの間で大きな衝打音が発生し、耳障りで不快感を与えることになる。そこで、この衝打音を低減しようとすると緩衝用のクッションなどの専用部品を採用することが考えられるが、部品点数や製造工数の増加によって製造コストが上昇することになる。
【００１２】
そこで、本発明は上記問題に鑑みて創案なされたもので、その目的とするところは、スイッチノブの作動力及び変位量（ストローク）の設計自由度が大きく、作動中及び初期状態への復元時の雑音の発生の少ないスイッチを提供することにある。
【課題を解決するための手段】
【００１３】
上記課題を解決するために、本発明の請求項１に記載された発明は、所定間隔をもって配置される複数の弾性変位部と、検知スイッチと、前記検知スイッチを作動させる作動部及び回動軸を有する操作部と、前記回動軸を回動自在に支持する支持体とを備えたスイッチ機構であって、前記操作部に前記回動軸を支点にして所望する方向に回動操作力を加えることによって該操作部が前記弾性変位部を押縮して該操作部を回動させ、前記操作部に設けられた作動部が前記回動軸を支点として回動することによって前記検知スイッチを作動させることを特徴とするものである。
【００１４】
また、本発明の請求項２に記載された発明は、請求項１に記載のスイッチ機構は、前記操作部に加えられた回動操作力を取り除くことによって初期状態に戻るモーメンタリー方式であることを特徴とするものである。
【００１５】
また、本発明の請求項３に記載された発明は、請求項１または２の何れか１項において、前記弾性変位部の一部もしくは全部がゴム部材からなることを特徴とするものである。
【００１６】
また、本発明の請求項４に記載された発明は、請求項１から３の何れか１項において、前記検知スイッチは作動用レバーを有し、且つ前記操作部に設けられた作動部は開口部からなり、該開口部内に前記検知スイッチの作動用レバーが位置することを特徴とするものである。
【発明の効果】
【００１７】
スイッチを操作するときの操作力及び変位量を所望する値に自由に設定でき、且つ、操作時及び跳ね返り時の音を殆んど発生しないモーメンタリースイッチを実現できた。
【発明を実施するための最良の形態】
【００１８】
以下、この発明の好適な実施形態を図１〜図３を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１９】
「図１−ａ」および「図１−ｂ」は本発明のスイッチの初期状態を示すものであり、「図１−ａ」は概略断面図、「図１−ｂ」は「図１−ａ」からパネルを取り除いた状態を示す概略斜視図である。「図２−ａ」および「図２−ｂ」は本発明のスイッチが初期状態から作動状態に変わった状態を示すものであり、「図２−ａ」は概略断面図、「図２−ｂ」は「図２−ａ」からパネルを取り除いた状態を示す概略斜視図である。図３は本発明のスイッチが作動状態から初期状態に戻った様子をパネルを取り除いて示した概略断面図である。
【００２０】
本発明のスイッチはモーメンタリースイッチであり、その構成は「図１−ａ」および「図１−ｂ」に示すように、基板１にトグルスイッチ或いはスライドスイッチ等のレバー２によって操作を行うような検知スイッチ３が搭載され、さらに基板１の上方には前記検知スイッチ３を露出させて上部２ヵ所にベース４とゴム系部材からなるトップ５で同じくゴム系部材からなるクリックゴム６を挟んだ構成の変位部７ａ、７ｂが設けられたハウジング８が配置されている。
【００２１】
そして、略コ字形状に形成された合成樹脂部材からなるスイッチノブ９がハウジング８の上方からハウジング８を覆うように配置されている。このスイッチノブ９は両側面から突出するように回動軸１０が設けられ、側面の端部には開口部１１が形成されて前記開口部１１に検知スイッチ３のレバー２が挿入されている。なお、図示していないが、回動軸１０はさらに全体を覆うように配置されたパネル１２を貫通し、よってパネル１２によって回動自在に支持されている。
【００２２】
さらに、スイッチノブ９の上部内面には２ヵ所の突出部１３ａ、１３ｂが設けられ、ハウジング８に設けられた２ヵ所のクリックゴム６上のトップ５と接している。スイッチノブ９の上部外面にはスイッチ操作を行い易いように比較的大きな凸部１４が操作部として形成されている。
【００２３】
このような構成のスイッチは、「図１−ａ」および「図１−ｂ」の初期状態においては、ハウジング８に設けられた２ヵ所の変位部７ａ、７ｂとスイッチノブ９の突出部１３ａ、１３ｂとが接触する部分の接触圧力は同一であり、そのときの検知スイッチ３のレバー２はスイッチノブ９の開口部１１の略中央部に位置し、検知スイッチ３のレバー２の３位置の中の中間位置を保持している。
【００２４】
次に、「図２−ａ」および「図２−ｂ」に示すようにスイッチノブ９の操作部の凸部１４を手掛かりに矢印の方向に力を加えると、矢印方向に位置する変位部７ａのトップ５にスイッチノブ９の突出部１３ａによって荷重が加わり、クリックゴム６が圧縮されて回動軸１０を支点にスイッチノブ９が矢印方向に回動される。すると、スイッチノブ９の端部に形成された開口部１１も回動軸１０を支点にスイッチノブ９の回動方向と同一方向に回動し、そのとき検知スイッチ３のレバー２が開口部１１の一方の内面でスナップされて３位置の中の一方の端位置に保持される。尚、スイッチノブ９の回動方向と反対方向に位置する変位部７ｂのトップ５とスイッチノブ９の突出部１３ｂとは離隔された状態になる。
【００２５】
次に、スイッチノブ９に加えられていた回動力を取り去ると、図３に示すように、いままで圧縮されていた変位部７ａのクリックゴム６の反発力でスイッチノブ９が矢印方向に回動され、スイッチノブ９の開口部１１も回動軸１０を支点にスイッチノブ９の回動方向と同一の方向に移動する。そのとき、検知スイッチ３のレバー２がスイッチノブ９の開口部１１の他方の内面で反対方向にスナップされて中間の位置に戻され、初期状態に戻る。
【００２６】
このとき、スイッチノブ９の突出部１３ｂと変位部７ｂのトップ５は離隔していた状態が瞬間的に再度接触することになる。しかしながら、突出部１３ｂは合成樹脂部材からなるが、トップ５およびクリックゴム６がゴム系部材からなるために両部材が衝突接触しても衝打音はほとんど発生せず、不快な雑音を与える心配はほとんどない。
【００２７】
一方、スイッチノブを上記とは反対方向に回動すると、同様の動作によって検知スイッチの開口部も同一方向に回動し、今度は検知スイッチのレバーが反対方向にスナップされて３位置の中の他方の端位置に保持される。その後、回動を保持している力を取り去ると検知スイッチのレバーも中間位置に戻って、初期状態にもどる。
【００２８】
なお、略コ字形状のスイッチノブの端部に形成された開口部によってスナップされてレバーの位置が変えられる検知スイッチはスイッチノブの２ヵ所の端部に設けても良いし、片側の端部の１ヵ所に設けても良い。
【００２９】
ここで、本発明の効果について再度説明する。まず、スイッチ操作を行うためのスイッチノブの作動力及び変位量（ストローク）は、検出スイッチのレバーの作動力及び変位量で決まるものではなく、スイッチノブに設けられた突出部によって荷重が加えられる変位部を構成するクリックゴムの材質や形状によって決まるものである。従って、既存の検知スイッチを使用したとしても、適宜クリックゴムの材質の選定及び形状の設計をすることによって所望する作動力及び変位量のスイッチを実現することができる。
【００３０】
また、また、スイッチノブの回動保持の間は、回動方向の反対方向にある変位部はハウジングに固定されているためフリーの状態になることはなく、よって何らかの外部応力や振動があっても振動音などの雑音が発生する可能性はほとんどない。
【００３１】
さらに、スイッチノブの回動保持を解除したときに、変位部を構成するクリップゴムの復元力によってスイッチノブが反対方向に回動し、スイッチノブの突出部によって変位部に瞬間的に荷重が加わる。しかしながらそのときスイッチノブが合成樹脂材料で形成されていても、変位部を構成するトップ５およびクリックゴム６がゴム系部材からなるために両部材が衝突接触しても衝打音はほとんど発生せず、不快な雑音を与える心配がほとんどない。当然、衝打音を低減するための緩衝用のクッションなどの専用部品を採用する必要がなく、部品点数や製造工数の増加による製造コストの上昇はない。といった多くの優れた効果を奏するものである。
【図面の簡単な説明】
【００３２】
【図１−ａ】本発明のスイッチの実施形態の初期状態を示す概略断面図である。
【図１−ｂ】「図１−ａ」の一部を取り除いた状態を示す概略斜視図である。
【図２−ａ】本発明のスイッチの実施形態の作動状態になったときの概略断面図である。
【図２−ｂ】「図２−ａ」の一部を取り除いた状態を示す概略斜視図である。
【図３】本発明のスイッチの実施形態の初期状態に戻ったときの概略断面図である。
【図４−ａ】従来例のスイッチの初期状態を示す概略断面図である。
【図４−ｂ】従来例のスイッチの作動状態になったときの概略断面図である。
【図４−ｃ】従来例のスイッチの初期状態に戻ったときの概略断面図である。
【符号の説明】
【００３３】
１    基板
２    レバー
３    検知スイッチ
４    ベース
５    トップ
６    クリックゴム
７ａ、７ｂ    変位部
８            ハウジング
９            スイッチノブ
１０            回動軸
１１            開口部
１２            パネル
１３ａ、１３ｂ  突出部
１４            凸部
【図１−ａ】
2005251625.tif 000003
【図１−ｂ】
2005251625.tif 000004
【図２−ａ】
2005251625.tif 000005
【図２−ｂ】
2005251625.tif 000006
【図３】
2005251625.tif 000007
【図４−ａ】
2005251625.tif 000008
【図４−ｂ】
2005251625.tif 000009
【図４−ｃ】
2005251625.tif 000010